(57)【要約】【課題】本発明は、受信データの所定ページ分を１ページのページデータに集約して記録出力する画像処理装置を提供する。【解決手段】画像処理装置は、ページ構成されている受信データを一旦データ蓄積部に蓄積した後、画像出力部で記録紙に記録出力するに際して、１ページに集約するページ数を予め設定集約ページ数として設定し、データ蓄積部に蓄積されている受信データの総ページ数が当該設定集約ページ数を越えると（ステップＳ１０１）、当該設定集約ページ数を越えた受信データのページのデータを当該設定集約ページ数分ずつ１ページのページデータに集約して、当該１ページに集約したページデータを１枚の記録紙に記録出力する（ステップＳ１０２）。したがって、利用性を向上させつつ、資源を有効活用することができる。【選択図】          図２
2004194230.tif 000002
【特許請求の範囲】
【請求項１】
ページ構成されている受信データを一旦データ蓄積手段に蓄積した後、記録出力手段で記録紙に記録出力する画像処理装置において、複数ページ分のデータを１ページに集約するページ集約手段と、当該ページ集約手段で集約するページ数を予め設定集約ページ数として設定する集約ページ数設定手段と、前記データ蓄積手段に蓄積されている前記受信データの総ページ数が前記設定集約ページ数を越えると、当該設定集約ページ数を越えた受信データのページのデータを当該設定集約ページ数分ずつ１ページのページデータに前記ページ集約手段に集約させて、前記記録手段に当該１ページに集約したページデータを１枚の記録紙に記録出力させる制御手段と、を備えていることを特徴とする画像処理装置。
【請求項２】
ページ構成されている受信データを一旦データ蓄積手段に蓄積した後、記録出力手段で記録紙に記録出力する画像処理装置において、複数ページのデータを１ページに集約するページ集約手段と、前記受信データの受信から記録出力するまでの待ち時間を設定記録待ち時間として設定する記録待ち時間設定手段と、前記データ蓄積手段に蓄積されている前記受信データの受信からの経過時間が前記設定記録待ち時間を経過すると、当該設定記録待ち時間の経過した受信データを所定の複数ページ分ずつ１ページのページデータに前記ページ集約手段に集約させて、前記記録手段に当該１ページに集約したページデータを１枚の記録紙に記録出力させる制御手段と、を備えていることを特徴とする画像処理装置。
【請求項３】
ページ構成されている受信データを一旦データ蓄積手段に蓄積した後、記録出力手段で記録紙に記録出力する画像処理装置において、複数ページのデータを１ページに集約するページ集約手段と、前記受信データを定期的に記録出力する時刻を設定記録時刻として設定する記録時刻設定手段と、現在時刻が前記設定記録時刻になると、前記データ蓄積手段に蓄積されている前記受信データを所定の複数ページ分ずつ１ページのページデータに前記ページ集約手段に集約させて、前記記録手段に当該１ページに集約したページデータを１枚の記録紙に記録出力させる制御手段と、を備えていることを特徴とする画像処理装置。
【請求項４】
ページ構成されている受信データを一旦データ蓄積手段に蓄積した後、記録出力手段で記録紙に記録出力する画像処理装置において、複数ページのデータを１ページに集約するページ集約手段と、前記データ蓄積手段の前記受信データの蓄積情報を報知出力する報知手段と、当該報知手段の報知結果に基づいて前記データ蓄積手段の前記受信データの集約記録出力を指示操作する集約出力指示手段と、当該集約出力指示手段で集約記録出力が指示操作されると、前記データ蓄積手段に蓄積されている前記受信データを所定の複数ページ分ずつ１ページのページデータに前記ページ集約手段に集約させて、前記記録手段に当該１ページに集約したページデータを１枚の記録紙に記録出力させる制御手段と、を備えていることを特徴とする画像処理装置。
【請求項５】
前記制御手段は、前記受信データの相手先情報、受信ルート及びデータ種別等のデータ情報を当該受信データの受信時に取得して、当該データ情報を当該受信データに付加して前記データ蓄積手段に蓄積させ、前記ページ集約手段に前記データ集約時に各ページ毎に当該データ情報を付加させて、前記１ページのページデータに集約させることを特徴とする請求項１から請求項４のいずれかに記載の画像処理装置。
【発明の詳細な説明】
【０００１】
【発明の属する技術分野】
本発明は、画像処理装置に関し、詳細には、受信データの所定ページ分を１ページのページデータに集約して記録出力する画像処理装置に関する。
【０００２】
【従来の技術】
【特許文献１】
特開平８−３３１３４０号公報
【特許文献２】
特開２００２−２９０７１２号公報
【特許文献３】
特開平８−３３１３４０号公報
従来、ファクシミリ装置等においては、画像データを受信すると、受信画像をそのままそのサイズや所定サイズの記録紙に記録して出力するようになっている。
【０００３】
受信者にとって必要、不必要にかかわらず受信画像が記録紙に出力され、環境問題が重要な問題となってきている今日、不必要な受信画像を記録紙にそのままのサイズで記録出力すると、記録紙が無駄になるという問題点がある。
【０００４】
そこで、本出願人は、先に、複数枚の受信画像を画像蓄積手段に蓄積して、複数枚の受信画像の内容を集約した受信レポートを記録紙に印刷するファクシミリ装置を提案している（特許文献１参照）。
【０００５】
すなわち、この従来技術は、１通信毎に受信画像を集約した受信レポートを記録出力している。
【０００６】
また、本出願人は、先に、複数ページの画像情報をファイル単位に蓄積し、記録ページを複数に分割して、それぞれの分割面に対して、蓄積された２つのファイルを割り当て、その２つのファイルのおのおののページについて、それぞれ割り当てられた分割面に対応した態様に記録データを変換して１ページ分の記録データに合成し、ページ順序を保持した状態で、当該合成された記録データの記録原稿を、記録紙に記録出力するファクシミリ装置を提案している（特許文献２参照）。
【０００７】
また、本出願人は、先に、ファクシミリデータに最適なサイズの用紙がファクシミリ装置にセットされていない場合に、ファクシミリデータを縮小して、１枚の用紙にファクシミリデータを集約した集約データを印刷するファクシミリ装置を提案している（特許文献３参照）。
【０００８】
【発明が解しようとする課題】
しかしながら、このような従来技術にあっては、記録紙の無駄を防止しつつ利用性を向上させる上で、改良の必要があった。
【０００９】
すなわち、特許文献１記載の従来技術にあっては、１通信毎に受信画像を集約した受信レポートを記録出力しているため、１通信毎の画像を集約するのみであり、ユーザの意図する集約率で画像を集約することができないだけでなく、受信レポートとして記録出力されるため、記録出力結果の利用性が悪く、改良の必要があった。
【００１０】
また、特許文献２記載の従来技術は、２つのファイルをページを合わせて集約して記録出力しているため、２つのファイルが存在するときにのみ集約され、利用効率が悪く、改良の必要があった。
【００１１】
さらに、特許文献３記載の従来技術にあっては、ファクシミリデータに最適なサイズの用紙がファクシミリ装置にセットされていない場合に、画像を縮小して、集約出力しているため、画像データに適した用紙があるときには、集約されずに記録され、資源の有効利用を図る上で、改良の必要があった。
【００１２】
そこで、請求項１記載の発明は、ページ構成されている受信データを一旦データ蓄積手段に蓄積した後、記録出力手段で記録紙に記録出力するに際して、１ページに集約するページ数を予め設定集約ページ数として設定し、データ蓄積手段に蓄積されている受信データの総ページ数が当該設定集約ページ数を越えると、当該設定集約ページ数を越えた受信データのページのデータを当該設定集約ページ数分ずつ１ページのページデータに集約して、当該１ページに集約したページデータを１枚の記録紙に記録出力することにより、受信データの出力に伴う消耗品の無駄な消費を最小限に抑制するとともに、不要な受信データや縮小しても十分情報伝達の可能なデータを適切に記録し、利用性を向上させつつ、資源の有効活用を図ることのできる画像処理装置を提供することを目的としている。
【００１３】
請求項２記載の発明は、ページ構成されている受信データを一旦データ蓄積手段に蓄積した後、記録出力手段で記録紙に記録出力するに際して、受信データの受信から記録出力するまでの待ち時間を設定記録待ち時間として設定し、データ蓄積手段に蓄積されている受信データの受信からの経過時間が当該設定記録待ち時間を経過すると、当該設定記録待ち時間の経過した受信データを所定の複数ページ分ずつ１ページのページデータに集約して、当該１ページに集約したページデータを１枚の記録紙に記録出力することにより、受信量が時間帯によってムラがあったり、受信量が少ない場合にも、集約出力を受信からの経過時間に基づいて行って、一定量受信データが蓄積されるまで待つことなく、記録出力し、より一層利用性を向上させつつ、資源の有効活用を図ることのできる画像処理装置を提供することを目的としている。
【００１４】
請求項３記載の発明は、ページ構成されている受信データを一旦データ蓄積手段に蓄積した後、記録出力手段で記録紙に記録出力するに際して、受信データを定期的に記録出力する時刻を設定記録時刻として設定し、現在時刻が当該設定記録時刻になると、データ蓄積手段に蓄積されている受信データを所定の複数ページ分ずつ１ページのページデータに集約して、当該１ページに集約したページデータを１枚の記録紙に記録出力することにより、受信量が時間帯によってムラがあったり、受信量が少ない場合にも、集約出力を定期的に行って、一定量受信データが蓄積されるまで待つことなく、記録出力し、より一層利用性を向上させつつ、資源の有効活用を図ることのできる画像処理装置を提供することを目的としている。
【００１５】
請求項４記載の発明は、ページ構成されている受信データを一旦データ蓄積手段に蓄積した後、記録出力手段で記録紙に記録出力するに際して、データ蓄積手段の受信データの蓄積情報を報知手段で報知出力し、当該報知結果に基づいてデータ蓄積手段の受信データの集約記録出力が集約出力指示手段で指示操作されると、データ蓄積手段に蓄積されている受信データを所定の複数ページ分ずつ１ページのページデータに集約させて、記録手段に当該１ページに集約したページデータを１枚の記録紙に記録出力することにより、受信量が時間帯によってムラがあったり、受信量が少ない場合にも、一定量受信データが蓄積されるまで待つことなく、受信データの蓄積情報に基づいてユーザが任意に記録出力させ、より一層利用性を向上させつつ、資源の有効活用を図ることのできる画像処理装置を提供することを目的としている。
【００１６】
請求項５記載の発明は、受信データの相手先情報、受信ルート及びデータ種別等のデータ情報を当該受信データの受信時に取得して、当該データ情報を当該受信データに付加してデータ蓄積手段に蓄積し、データ集約時に各ページ毎に当該データ情報を付加して、１ページのページデータに集約することにより、通信管理情報をかねるとともに、特に、受信ルートによって電子メール受信等を区別して、イメージデータの受信かテキストデータかを認識できるようにし、画像判断が困難な場合の１ページ毎の出力を行うか否かの判断材料とし、より一層利用性を向上させつつ、資源の有効活用を図ることのできる画像処理装置を提供することを目的としている。
【００１７】
【課題を解決するための手段】
請求項１記載の発明の画像処理装置は、ページ構成されている受信データを一旦データ蓄積手段に蓄積した後、記録出力手段で記録紙に記録出力する画像処理装置において、複数ページ分のデータを１ページに集約するページ集約手段と、当該ページ集約手段で集約するページ数を予め設定集約ページ数として設定する集約ページ数設定手段と、前記データ蓄積手段に蓄積されている前記受信データの総ページ数が前記設定集約ページ数を越えると、当該設定集約ページ数を越えた受信データのページのデータを当該設定集約ページ数分ずつ１ページのページデータに前記ページ集約手段に集約させて、前記記録手段に当該１ページに集約したページデータを１枚の記録紙に記録出力させる制御手段と、を備えていることにより、上記目的を達成している。
【００１８】
上記構成によれば、ページ構成されている受信データを一旦データ蓄積手段に蓄積した後、記録出力手段で記録紙に記録出力するに際して、１ページに集約するページ数を予め設定集約ページ数として設定し、データ蓄積手段に蓄積されている受信データの総ページ数が当該設定集約ページ数を越えると、当該設定集約ページ数を越えた受信データのページのデータを当該設定集約ページ数分ずつ１ページのページデータに集約して、当該１ページに集約したページデータを１枚の記録紙に記録出力するので、受信データの出力に伴う消耗品の無駄な消費を最小限に抑制することができるとともに、不要な受信データや縮小しても十分情報伝達の可能なデータを適切に記録することができ、利用性を向上させることができるとともに、資源を有効活用することができる。
【００１９】
請求項２記載の発明の画像処理装置は、ページ構成されている受信データを一旦データ蓄積手段に蓄積した後、記録出力手段で記録紙に記録出力する画像処理装置において、複数ページのデータを１ページに集約するページ集約手段と、前記受信データの受信から記録出力するまでの待ち時間を設定記録待ち時間として設定する記録待ち時間設定手段と、前記データ蓄積手段に蓄積されている前記受信データの受信からの経過時間が前記設定記録待ち時間を経過すると、当該設定記録待ち時間の経過した受信データを所定の複数ページ分ずつ１ページのページデータに前記ページ集約手段に集約させて、前記記録手段に当該１ページに集約したページデータを１枚の記録紙に記録出力させる制御手段と、を備えていることにより、上記目的を達成している。
【００２０】
上記構成によれば、ページ構成されている受信データを一旦データ蓄積手段に蓄積した後、記録出力手段で記録紙に記録出力するに際して、受信データの受信から記録出力するまでの待ち時間を設定記録待ち時間として設定し、データ蓄積手段に蓄積されている受信データの受信からの経過時間が当該設定記録待ち時間を経過すると、当該設定記録待ち時間の経過した受信データを所定の複数ページ分ずつ１ページのページデータに集約して、当該１ページに集約したページデータを１枚の記録紙に記録出力するので、受信量が時間帯によってムラがあったり、受信量が少ない場合にも、集約出力を受信からの経過時間に基づいて行って、一定量受信データが蓄積されるまで待つことなく、記録出力することができ、より一層利用性を向上させることができるとともに、資源を有効活用することができる。
【００２１】
請求項３記載の発明の画像処理装置は、ページ構成されている受信データを一旦データ蓄積手段に蓄積した後、記録出力手段で記録紙に記録出力する画像処理装置において、複数ページのデータを１ページに集約するページ集約手段と、前記受信データを定期的に記録出力する時刻を設定記録時刻として設定する記録時刻設定手段と、現在時刻が前記設定記録時刻になると、前記データ蓄積手段に蓄積されている前記受信データを所定の複数ページ分ずつ１ページのページデータに前記ページ集約手段に集約させて、前記記録手段に当該１ページに集約したページデータを１枚の記録紙に記録出力させる制御手段と、を備えていることにより、上記目的を達成している。
【００２２】
上記構成によれば、ページ構成されている受信データを一旦データ蓄積手段に蓄積した後、記録出力手段で記録紙に記録出力するに際して、受信データを定期的に記録出力する時刻を設定記録時刻として設定し、現在時刻が当該設定記録時刻になると、データ蓄積手段に蓄積されている受信データを所定の複数ページ分ずつ１ページのページデータに集約して、当該１ページに集約したページデータを１枚の記録紙に記録出力するので、受信量が時間帯によってムラがあったり、受信量が少ない場合にも、集約出力を定期的に行って、一定量受信データが蓄積されるまで待つことなく、記録出力することができ、より一層利用性を向上させることができるとともに、資源を有効活用することができる。
【００２３】
請求項４記載の発明の画像処理装置は、ページ構成されている受信データを一旦データ蓄積手段に蓄積した後、記録出力手段で記録紙に記録出力する画像処理装置において、複数ページのデータを１ページに集約するページ集約手段と、前記データ蓄積手段の前記受信データの蓄積情報を報知出力する報知手段と、当該報知手段の報知結果に基づいて前記データ蓄積手段の前記受信データの集約記録出力を指示操作する集約出力指示手段と、当該集約出力指示手段で集約記録出力が指示操作されると、前記データ蓄積手段に蓄積されている前記受信データを所定の複数ページ分ずつ１ページのページデータに前記ページ集約手段に集約させて、前記記録手段に当該１ページに集約したページデータを１枚の記録紙に記録出力させる制御手段と、を備えていることにより、上記目的を達成している。
【００２４】
上記構成によれば、ページ構成されている受信データを一旦データ蓄積手段に蓄積した後、記録出力手段で記録紙に記録出力するに際して、データ蓄積手段の受信データの蓄積情報を報知手段で報知出力し、当該報知結果に基づいてデータ蓄積手段の受信データの集約記録出力が集約出力指示手段で指示操作されると、データ蓄積手段に蓄積されている受信データを所定の複数ページ分ずつ１ページのページデータに集約して、記録手段に当該１ページに集約したページデータを１枚の記録紙に記録出力するので、受信量が時間帯によってムラがあったり、受信量が少ない場合にも、一定量受信データが蓄積されるまで待つことなく、受信データの蓄積情報に基づいてユーザが任意に記録出力させることができ、より一層利用性を向上させることができるとともに、資源を有効活用することができる。
【００２５】
上記各場合において、例えば、請求項５に記載するように、前記制御手段は、前記受信データの相手先情報、受信ルート及びデータ種別等のデータ情報を当該受信データの受信時に取得して、当該データ情報を当該受信データに付加して前記データ蓄積手段に蓄積させ、前記ページ集約手段に前記データ集約時に各ページ毎に当該データ情報を付加させて、前記１ページのページデータに集約させるものであってもよい。
【００２６】
上記構成によれば、受信データの相手先情報、受信ルート及びデータ種別等のデータ情報を当該受信データの受信時に取得して、当該データ情報を当該受信データに付加してデータ蓄積手段に蓄積し、データ集約時に各ページ毎に当該データ情報を付加して、１ページのページデータに集約するので、通信管理情報をかねることができるとともに、特に、受信ルートによって電子メール受信等を区別して、イメージデータの受信かテキストデータかを認識できるようにすることができ、画像判断が困難な場合の１ページ毎の出力を行うか否かの判断材料とし、より一層利用性を向上させることができるとともに、資源を有効活用することができる。
【００２７】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２８】
図１〜図３は、本発明の画像処理装置の第１の実施の形態を示す図であり、図１は、本発明の画像処理装置の第１の実施の形態を適用した画像処理装置１のブロック構成図である。
【００２９】
図１において、画像処理装置１は、主制御部２、操作部３、画像入力部４、画像出力部５、画像処理部６、データ蓄積部７及び複数（図１では、３つ）の通信ユニット８〜１０等を備えており、主要各部は、バス１１で接続されている。
【００３０】
主制御部２は、ＣＰＵ（Central Processing Unit ）、ＲＯＭ（Read Only Memory）、ＲＡＭ（Random Access Memory）等を備え、ＣＰＵが、ＲＯＭ内のプログラムに基づいて、ＲＡＭをワークメモリとして利用しつつ画像処理装置１の各部を制御して、画像処理装置１としての基本処理を実行するとともに、後述する集約記録処理を実行する。
【００３１】
操作部３は、画像処理装置１を操作するのに必要な各種キーやディスプレイ（例えば、ＬＣＤ（Liquid Crystal Display）等）及び画像処理装置１の動作状態を表示するＬＥＤ等のランプ等を備え、操作キーからは、画像処理装置１を利用した各種操作の命令が入力され、ディスプレイには、操作キーから入力された命令内容や画像処理装置１からオペレータに通知する各種情報が表示される。特に、操作キーからは、後述する集約記録処理で集約するページ数である設定集約ページ数が設定入力され、主制御部２は、当該入力された設定集約ページ数を内蔵する不揮発性メモリ等に記憶する。
【００３２】
画像入力部４は、例えば、ＣＣＤ（Charge Coupled Device ）を利用したイメージスキャナ等が利用されており、一般にＡＤＦ（自動原稿送り装置）を備えている。ＡＤＦは、セットされた複数枚の原稿を１枚ずつ画像入力部４の原稿読取位置に送給し、画像入力部４は、ＡＤＦから搬送されてきた原稿を走査して、原稿の画像を所定の解像度で読み取る。
【００３３】
画像出力部（記録出力手段）５は、例えば、サーマル素子を利用したサーマル記録装置あるいは電子写真式記録装置等が使用されており、受信した画像データや画像入力部４で読み取った画像データ及び後述する集約したページデータに基づいて画像やページデータを記録紙に記録出力する。
【００３４】
画像処理部（ページ集約手段）６は、主制御部２の制御下で動作して、画像データの解析処理、伸張圧縮処理及びデータの埋め込み処理等を行い、また、複数ページ分のデータを１ページに集約するページ集約処理を行う。
【００３５】
データ蓄積部（データ蓄積手段）７は、例えば、ハードディスク等の不揮発性のメモリが用いられ、画像処理装置１の動作上必要な登録情報、画像入力部４で読み取られた原稿の画像データ及び受信した画像データ等を大量に、また、長期保存する場合等に記憶する。
【００３６】
通信ユニット８〜１０は、公衆回線網やＬＡＮ（Local Area Network）等のネットワークと画像処理装置１をインタフェースする通信・回線制御を行い、通信手段によりユニットが分かれている。通信ユニット８〜１０は、Ｇ３通信等で利用するアナログ回線、ＩＳＤＮ、ＬＡＮ等のデジタル回線等と接続して通信を行い、通信手順として、アナログ回線では、Ｇ３手順を、ＩＳＤＮでは、Ｇ４手順を、そして、ＬＡＮでは、ＳＭＴＰやＰＯＰを用いて通信する。
【００３７】
次に、本実施の形態の作用を説明する。本実施の形態の画像処理装置１は、データ蓄積部７に蓄積されている受信データのページ数が予め設定されている設定集約ページ数になると、自動的に設定集約ページ数になった受信データの設定集約ページ数分のページのデータを集約して記録出力する集約記録処理を行う。
【００３８】
すなわち、画像処理装置１は、操作部３の操作により集約して記録するページ数が設定入力されると、当該ページ数を設定集約ページ数（Ｐｏｕｔ）として、内部メモリ（不揮発メモリ等）に記憶する。
【００３９】
この状態で、画像処理装置１は、集約記録処理とは非同期に、相手先からデータの送信があると、当該送信を通信ユニット８〜１０で受け付けて受信し、主制御部２の制御下で、当該受信した受信データをデータ蓄積部７に蓄積する。画像処理装置１は、このデータ受信・蓄積処理を相手先からデータ送信がある毎に行う。また、主制御部２は、通信ユニット８〜１０がデータを受信する際に、当該受信データの相手先情報、受信ルート及びデータ種別等のデータ情報を取得して、当該データ情報を当該受信データに付加してデータ蓄積部７に蓄積させる。
【００４０】
そして、主制御部２は、図２に示すように、所定タイミング毎に、データ蓄積部７に蓄積されている受信データのページ数と上記設定集約ページ数（Ｐｏｕｔ）を比較し（ステップＳ１０１）、受信データのページ数が設定集約ページ数（Ｐｏｕｔ）未満であると、集約記録を行うことなく、処理を終了する。
【００４１】
ステップＳ１０１で、受信データのページ数が設定集約ページ数（Ｐｏｕｔ）以上であると、主制御部２は、集約記録出力処理を行って、処理を終了する（ステップＳ１０２）。
【００４２】
主制御部２は、この集約記録出力処理では、受信データをデータ蓄積部７から読み出して、画像処理部６に転送し、画像処理部６に、当該受信データのページが、設定集約ページ数のページ数分ずつ１枚の記録紙に収まるように、画像の縮小と各ページの記録紙への配置（ページレイアウト）を行わせる。
【００４３】
また、画像処理部６は、この画像縮小とページレイアウト等の行われた記録紙１ページ分のデータに、受信ルート、受信に関する各種情報として、受信日時、相手先情報等の各種データ情報を、各ページのデータ毎に、当該ページの真下の位置に付加させる。
【００４４】
主制御部２は、この画像縮小とページレイアウト等が行われ、各種データ情報の付加された記録紙１ページ分のデータを画像出力部５に転送して、画像出力部５で、例えば、図３に示すように、設定集約ページ数のページ数分の受信データを各種情報を付加した状態で１枚の記録紙に記録出力させる。
【００４５】
そして、主制御部２は、一度集約記録出力処理を行った受信データについては、繰り返し出力を防ぐために、データ蓄積部７内の当該集約記録出力済みである受信データに対して、集約記録出力済みである旨の情報を付加してデータ管理を行い、ステップＳ１０１の受信ページ総数の比較において集約記録出力処理済みのデータを除外して、集約記録出力処理から除外する。
【００４６】
このように、本実施の形態の画像処理装置１は、ページ構成されている受信データを一旦データ蓄積部７に蓄積した後、画像出力部５で記録紙に記録出力するに際して、１ページに集約するページ数を予め設定集約ページ数として設定し、データ蓄積部７に蓄積されている受信データの総ページ数が当該設定集約ページ数を越えると、当該設定集約ページ数を越えた受信データのページのデータを当該設定集約ページ数分ずつ１ページのページデータに集約して、当該１ページに集約したページデータを１枚の記録紙に記録出力している。
【００４７】
したがって、受信データの出力に伴う消耗品の無駄な消費を最小限に抑制することができるとともに、不要な受信データや縮小しても十分情報伝達の可能なデータを適切に記録することができ、利用性を向上させることができるとともに、資源を有効活用することができる。
【００４８】
また、本実施の形態の画像処理装置１は、受信データの相手先情報、受信ルート及びデータ種別等のデータ情報を当該受信データの受信時に取得して、当該データ情報を当該受信データに付加してデータ蓄積部７に蓄積し、データ集約時に各ページ毎に当該データ情報を付加して、１ページのページデータに集約している。
【００４９】
したがって、通信管理情報をかねることができるとともに、特に、受信ルートによって電子メール受信等を区別して、イメージデータの受信かテキストデータかを認識できるようにすることができ、画像判断が困難な場合の１ページ毎の出力を行うか否かの判断材料とし、より一層利用性を向上させることができるとともに、資源を有効活用することができる。
【００５０】
図４は、本発明の画像処理装置の第２の実施の形態を適用した画像処理装置による集約記録処理示すフローチャートである。
【００５１】
なお、本実施の形態は、上記第１の実施の形態の画像処理装置１と同様の画像処理装置に適用したものであり、本実施の形態の説明においては、必要に応じて、第１の実施の形態の説明で用いた符号をそのまま用いて説明する。
【００５２】
本実施の形態の画像処理装置１は、データ蓄積部７に蓄積されている受信データが当該受信から予め設定された設定記録待ち時間が経過すると、自動的に設定記録待ち時間の経過した受信データを集約して記録出力する集約記録処理を行う。
【００５３】
そこで、本実施の形態の画像処理装置１では、まず、操作部（記録待ち時間設定手段）３から受信してから集約記録出力するまでの待ち時間として設定記録待ち時間が設定入力され、主制御部２は、操作部３から設定記録待ち時間が入力されると、当該設定記録待ち時間（Ｔｋ）を、内部メモリ（不揮発メモリ等）に記憶する。
【００５４】
この状態で、画像処理装置１は、集約記録処理とは非同期に、相手先からデータの送信があると、当該送信を通信ユニット８〜１０で受け付けて受信し、主制御部２の制御下で、当該受信した受信データをデータ蓄積部７に蓄積する。画像処理装置１は、このデータ受信・蓄積処理を相手先からデータ送信がある毎に行い、主制御部２が、当該受信データの受信日時を管理する。
【００５５】
そして、主制御部２は、図４に示すように、設定記録待ち時間（Ｔｋ）よりも短い所定タイミング毎に、データ蓄積部７に蓄積されている受信データの受信日時と現在時刻を比較して、設定記録待ち時間（Ｔｋ）の経過している受信データ（蓄積データ）があるかチェックし（ステップＳ２０１）、設定記録待ち時間（Ｔｋ）の経過している受信データが蓄積されていないときには、、集約記録を行うことなく、処理を終了する。
【００５６】
ステップＳ２０１で、設定記録待ち時間（Ｔｋ）の経過している受信データが蓄積されているときには、主制御部２は、集約記録出力処理を行って、処理を終了する（ステップＳ２０２）。
【００５７】
主制御部２は、この集約記録出力処理では、上記第１の実施の形態の場合と同様に、当該集約記録時間（Ｔｋ）の経過している受信データをデータ蓄積部７から読み出して、画像処理部６に転送し、画像の縮小と各ページの記録紙への配置（ページレイアウト）を行わせる。このとき、上記第１の実施の形態の場合と同様に、集約ページ数が予め設定されているとき、すなわち、設定集約ページ数が設定されているときには、画像処理部６に当該受信データのページが、設定集約ページ数のページ数分ずつ１枚の記録紙に収まるように、画像の縮小と各ページの記録紙への配置（ページレイアウト）を行わせる。
【００５８】
また、画像処理部６は、この画像縮小とページレイアウト等の行われた記録紙１ページ分のデータに、受信ルート、受信に関する各種情報として、受信日時、相手先情報等の各種データ情報を、各ページのデータ毎に、当該ページの真下の位置に付加させる。
【００５９】
主制御部２は、この画像縮小とページレイアウト等が行われ、各種データ情報の付加された記録紙１ページ分のデータを画像出力部５に転送して、画像出力部５で、例えば、図３に示したように、設定集約ページ数のページ数分の受信データを各種情報を付加した状態で１枚の記録紙に記録出力させる。
【００６０】
そして、主制御部２は、一度集約記録出力処理を行った受信データについては、繰り返し出力を防ぐために、データ蓄積部７内の当該集約記録出力済みである受信データに対して、集約記録出力済みである旨の情報を付加してデータ管理を行し、設定記録待ち時間の比較判定において集約記録出力処理済みのデータを除外して、時間管理を行って、集約記録出力処理から除外する。
【００６１】
また、上記説明では、集約記録処理を設定記録待ち時間（Ｔｋ）よりも短い所定タイミング毎に、行っているが、集約記録処理を、出力処理の上流のフローでリアルタイムに判定するようにしてもよい。
【００６２】
このように、本実施の形態の画像処理装置１は、ページ構成されている受信データを一旦データ蓄積部７に蓄積した後、画像出力部５で記録紙に記録出力するに際して、受信データの受信から記録出力するまでの待ち時間を設定記録待ち時間として設定し、データ蓄積部７に蓄積されている受信データの受信からの経過時間が当該設定記録待ち時間を経過すると、当該設定記録待ち時間の経過した受信データを所定の複数ページ分ずつ１ページのページデータに集約して、当該１ページに集約したページデータを１枚の記録紙に記録出力している。
【００６３】
したがって、受信量が時間帯によってムラがあったり、受信量が少ない場合にも、集約出力を受信からの経過時間に基づいて行って、一定量受信データが蓄積されるまで待つことなく、記録出力することができ、より一層利用性を向上させることができるとともに、資源を有効活用することができる。
【００６４】
図５は、本発明の画像処理装置の第３の実施の形態を適用した画像処理装置による集約記録処理示すフローチャートである。
【００６５】
なお、本実施の形態は、上記第１の実施の形態の画像処理装置１と同様の画像処理装置に適用したものであり、本実施の形態の説明においては、必要に応じて、第１の実施の形態の説明で用いた符号をそのまま用いて説明する。
【００６６】
本実施の形態の画像処理装置１は、データ蓄積部７に蓄積されている受信データを定期的に自動的に集約して記録出力する集約記録処理を行う。
【００６７】
そこで、本実施の形態の画像処理装置１では、まず、操作部（記録時刻設定手段）３から定期的に集約記録出力する時刻として設定記録時刻が設定入力され、主制御部２は、操作部３から設定記録時刻が入力されると、当該設定記録時刻（Ｔｔ）を、内部メモリ（不揮発メモリ等）に記憶する。この設定記録時刻（Ｔｋ）は、１つの時刻に限るものではなく、複数の時刻が設定されていてもよい。
【００６８】
この状態で、画像処理装置１は、集約記録処理とは非同期に、相手先からデータの送信があると、当該送信を通信ユニット８〜１０で受け付けて受信し、主制御部２の制御下で、当該受信した受信データをデータ蓄積部７に蓄積する。画像処理装置１は、このデータ受信・蓄積処理を相手先からデータ送信がある毎に行い、主制御部２が、当該受信データの管理を行う。
【００６９】
そして、主制御部２は、図５に示すように、現在時刻を内部タイマから取得して、設定記録時刻（Ｔｔ）と比較して、現在時刻が設定記録時刻（Ｔｔ）になったかチェックし（ステップＳ３０１）、現在時刻が設定記録時刻（Ｔｔ）でないときには、、集約記録を行うことなく、処理を終了する。
【００７０】
ステップＳ３０１で、現在時刻が設定記録時刻（Ｔｔ）になっているときには、主制御部２は、データ蓄積部７に集約記録出力を行っていない受信データが蓄積されているかチェックし（ステップＳ３０２）、集約記録出力を行っていない受信データが蓄積されていないときには、集約記録を行うことなく、処理を終了する。
【００７１】
ステップＳ３０２で、集約記録出力を行っていない受信データが蓄積されているときには、主制御部２は、集約記録出力処理を行って、処理を終了する（ステップＳ３０３）。
【００７２】
主制御部２は、この集約記録出力処理では、上記第１の実施の形態の場合と同様に、受信データをデータ蓄積部７から読み出して、画像処理部６に転送し、画像の縮小と各ページの記録紙への配置（ページレイアウト）を行わせる。このとき、上記第１の実施の形態の場合と同様に、集約ページ数が予め設定されているとき、すなわち、設定集約ページ数が設定されているときには、画像処理部６に当該受信データのページが、設定集約ページ数のページ数分ずつ１枚の記録紙に収まるように、画像の縮小と各ページの記録紙への配置（ページレイアウト）を行わせる。
【００７３】
また、画像処理部６は、この画像縮小とページレイアウト等の行われた記録紙１ページ分のデータに、受信ルート、受信に関する各種情報として、受信日時、相手先情報等の各種データ情報を、各ページのデータ毎に、当該ページの真下の位置に付加させる。
【００７４】
主制御部２は、この画像縮小とページレイアウト等が行われ、各種データ情報の付加された記録紙１ページ分のデータを画像出力部５に転送して、画像出力部５で、例えば、図３に示したように、設定集約ページ数のページ数分の受信データを各種情報を付加した状態で１枚の記録紙に記録出力させる。
【００７５】
そして、主制御部２は、一度集約記録出力処理を行ったデータについては、繰り返し出力を防ぐために、データ蓄積部７内の当該集約記録出力済みであるデータに対して、集約記録出力済みである旨の情報を付加してデータ管理を行し、ステップＳ３０２の蓄積データ（受信データ）の有無の判定において集約記録出力処理済みのデータを除外して、集約記録出力処理から除外する。
【００７６】
また、上記説明では、集約記録処理を所定タイミング毎に、行っているが、集約記録処理を、出力処理の上流のフローでリアルタイムに判定するようにしてもよい。
【００７７】
このように、本実施の形態の画像処理装置１は、ページ構成されている受信データを一旦データ蓄積部７に蓄積した後、画像出力部５で記録紙に記録出力するに際して、受信データを定期的に記録出力する時刻を設定記録時刻として設定し、現在時刻が当該設定記録時刻になると、データ蓄積部７に蓄積されている受信データを所定の複数ページ分ずつ１ページのページデータに集約して、当該１ページに集約したページデータを１枚の記録紙に記録出力している。
【００７８】
したがって、受信量が時間帯によってムラがあったり、受信量が少ない場合にも、集約出力を定期的に行って、一定量受信データが蓄積されるまで待つことなく、記録出力することができ、より一層利用性を向上させることができるとともに、資源を有効活用することができる。
【００７９】
図６は、本発明の画像処理装置の第４の実施の形態を適用した画像処理装置による集約記録処理示すフローチャートである。
【００８０】
なお、本実施の形態は、上記第１の実施の形態の画像処理装置１と同様の画像処理装置に適用したものであり、本実施の形態の説明においては、必要に応じて、第１の実施の形態の説明で用いた符号をそのまま用いて説明する。
【００８１】
本実施の形態の画像処理装置１は、操作部３で集約記録出力指示操作が行われると、データ蓄積部７に蓄積されている受信データを自動的に集約して記録出力する集約記録処理を行う。
【００８２】
そこで、本実施の形態の画像処理装置１では、操作部３に集約記録出力の指示操作を行うための集約出力キー（集約出力指示手段）が設けられており、オペレータは、受信データを集約記録出力させたい場合に、当該集約出力キーを押下する等の指示操作を行って、データ蓄積部７内の受信データを集約記録出力させる。
【００８３】
画像処理装置１は、集約記録処理とは非同期に、相手先からデータの送信があると、当該送信を通信ユニット８〜１０で受け付けて受信し、主制御部２の制御下で、当該受信した受信データをデータ蓄積部７に蓄積する。画像処理装置１は、このデータ受信・蓄積処理を相手先からデータ送信がある毎に行って、当該受信データをデータ蓄積部７に蓄積して管理する。
【００８４】
そして、主制御部２は、データ蓄積部７の受信データの蓄積情報を操作部３のディスプレイ（報知手段）に表示出力（報知出力）し、ユーザは、このディスプレイへの受信データの蓄積情報を見て、必要に応じて、操作部３の集約出力キーを操作して、集約出力を指示する。なお、この受信データの蓄積情報の報知は、ディスプレイへの表示出力に限るものではなく、例えば、音声出力等で報知してもよい。
【００８５】
主制御部２は、操作部３の集約出力キーが操作されたかをチェックして、集約出力キーが操作されると、図６に示すように、データ蓄積部７に集約記録出力を行っていない受信データが蓄積されているかチェックし（ステップＳ４０１）、集約記録出力を行っていない受信データが蓄積されていないときには、集約記録を行うことなく、処理を終了する。
【００８６】
ステップＳ４０１で、集約記録出力を行っていない受信データが蓄積されているときには、主制御部２は、集約記録出力処理を行って、処理を終了する（ステップＳ４０２）。
【００８７】
主制御部２は、この集約記録出力処理では、上記第１の実施の形態の場合と同様に、受信データをデータ蓄積部７から読み出して、画像処理部６に転送し、画像の縮小と各ページの記録紙への配置（ページレイアウト）を行わせる。このとき、上記第１の実施の形態の場合と同様に、集約ページ数が予め設定されているとき、すなわち、設定集約ページ数が設定されているときには、画像処理部６に当該受信データのページが、設定集約ページ数のページ数分ずつ１枚の記録紙に収まるように、画像の縮小と各ページの記録紙への配置（ページレイアウト）を行わせる。
【００８８】
また、画像処理部６は、この画像縮小とページレイアウト等の行われた記録紙１ページ分のデータに、受信ルート、受信に関する各種情報として、受信日時、相手先情報等の各種データ情報を、各ページのデータ毎に、当該ページの真下の位置に付加させる。
【００８９】
主制御部２は、この画像縮小とページレイアウト等が行われ、各種データ情報の付加された記録紙１ページ分のデータを画像出力部５に転送して、画像出力部５で、例えば、図３に示したように、設定集約ページ数のページ数分の受信データを各種情報を付加した状態で１枚の記録紙に記録出力させる。
【００９０】
そして、主制御部２は、一度集約記録出力処理を行った受信データについては、繰り返し出力を防ぐために、データ蓄積部７内の当該集約記録出力済みである受信データに対して、集約記録出力済みである旨の情報を付加してデータ管理を行し、ステップＳ４０１の蓄積データ（受信データ）の有無の判定において集約記録出力処理済みのデータを除外して、集約記録出力処理から除外する。
【００９１】
このように、本実施の形態の画像処理装置１は、ページ構成されている受信データを一旦データ蓄積部７に蓄積した後、画像出力部５で記録紙に記録出力するに際して、データ蓄積部７の受信データの蓄積情報を操作部３のディスプレイに表示出力する等で報知出力し、当該報知結果に基づいてデータ蓄積部７の受信データの集約記録出力が操作部３の集約出力キーで指示操作されると、データ蓄積部７に蓄積されている受信データを所定の複数ページ分ずつ１ページのページデータに集約して、当該１ページに集約したページデータを１枚の記録紙に記録出力している。
【００９２】
したがって、受信量が時間帯によってムラがあったり、受信量が少ない場合にも、一定量受信データが蓄積されるまで待つことなく、受信データの蓄積情報に基づいてユーザが任意に記録出力させることができ、より一層利用性を向上させることができるとともに、資源を有効活用することができる。
【００９３】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００９４】
【発明の効果】
請求項１記載の発明の画像処理装置によれば、ページ構成されている受信データを一旦データ蓄積手段に蓄積した後、記録出力手段で記録紙に記録出力するに際して、１ページに集約するページ数を予め設定集約ページ数として設定し、データ蓄積手段に蓄積されている受信データの総ページ数が当該設定集約ページ数を越えると、当該設定集約ページ数を越えた受信データのページのデータを当該設定集約ページ数分ずつ１ページのページデータに集約して、当該１ページに集約したページデータを１枚の記録紙に記録出力するので、受信データの出力に伴う消耗品の無駄な消費を最小限に抑制することができるとともに、不要な受信データや縮小しても十分情報伝達の可能なデータを適切に記録することができ、利用性を向上させることができるとともに、資源を有効活用することができる。
【００９５】
請求項２記載の発明の画像処理装置によれば、ページ構成されている受信データを一旦データ蓄積手段に蓄積した後、記録出力手段で記録紙に記録出力するに際して、受信データの受信から記録出力するまでの待ち時間を設定記録待ち時間として設定し、データ蓄積手段に蓄積されている受信データの受信からの経過時間が当該設定記録待ち時間を経過すると、当該設定記録待ち時間の経過した受信データを所定の複数ページ分ずつ１ページのページデータに集約して、当該１ページに集約したページデータを１枚の記録紙に記録出力するので、受信量が時間帯によってムラがあったり、受信量が少ない場合にも、集約出力を受信からの経過時間に基づいて行って、一定量受信データが蓄積されるまで待つことなく、記録出力することができ、より一層利用性を向上させることができるとともに、資源を有効活用することができる。
【００９６】
請求項３記載の発明の画像処理装置によれば、ページ構成されている受信データを一旦データ蓄積手段に蓄積した後、記録出力手段で記録紙に記録出力するに際して、受信データを定期的に記録出力する時刻を設定記録時刻として設定し、現在時刻が当該設定記録時刻になると、データ蓄積手段に蓄積されている受信データを所定の複数ページ分ずつ１ページのページデータに集約して、当該１ページに集約したページデータを１枚の記録紙に記録出力するので、受信量が時間帯によってムラがあったり、受信量が少ない場合にも、集約出力を定期的に行って、一定量受信データが蓄積されるまで待つことなく、記録出力することができ、より一層利用性を向上させることができるとともに、資源を有効活用することができる。
【００９７】
請求項４記載の発明の画像処理装置によれば、ページ構成されている受信データを一旦データ蓄積手段に蓄積した後、記録出力手段で記録紙に記録出力するに際して、データ蓄積手段の受信データの蓄積情報を報知手段で報知出力し、当該報知結果に基づいてデータ蓄積手段の受信データの集約記録出力が集約出力指示手段で指示操作されると、データ蓄積手段に蓄積されている受信データを所定の複数ページ分ずつ１ページのページデータに集約して、記録手段に当該１ページに集約したページデータを１枚の記録紙に記録出力するので、受信量が時間帯によってムラがあったり、受信量が少ない場合にも、一定量受信データが蓄積されるまで待つことなく、受信データの蓄積情報に基づいてユーザが任意に記録出力させることができ、より一層利用性を向上させることができるとともに、資源を有効活用することができる。
【００９８】
請求項５記載の発明の画像処理装置によれば、受信データの相手先情報、受信ルート及びデータ種別等のデータ情報を当該受信データの受信時に取得して、当該データ情報を当該受信データに付加してデータ蓄積手段に蓄積し、データ集約時に各ページ毎に当該データ情報を付加して、１ページのページデータに集約するので、通信管理情報をかねることができるとともに、特に、受信ルートによって電子メール受信等を区別して、イメージデータの受信かテキストデータかを認識できるようにすることができ、画像判断が困難な場合の１ページ毎の出力を行うか否かの判断材料とし、より一層利用性を向上させることができるとともに、資源を有効活用することができる。
【図面の簡単な説明】
【図１】本発明の画像処理装置の第１の実施の形態を適用した画像処理装置の要部ブロック構成図。
【図２】図１の画像処理装置による集約記録処理を示すフローチャート。
【図３】図２の集約記録処理での記録紙への集約記録出力の一例を示す図。
【図４】本発明の画像処理装置の第２の実施の形態を適用した画像処理装置による集約記録処理を示すフローチャート。
【図５】本発明の画像処理装置の第３の実施の形態を適用した画像処理装置による集約記録処理を示すフローチャート。
【図６】本発明の画像処理装置の第４の実施の形態を適用した画像処理装置による集約記録処理を示すフローチャート。
【符号の説明】
１  画像処理装置
２  主制御部
３  操作部
４  画像入力部
５  画像出力部
６  画像処理部
７  データ蓄積部
８〜１０  通信ユニット
１１  バス
【図１】
2004194230.tif 000003
【図２】
2004194230.tif 000004
【図３】
2004194230.tif 000005
【図４】
2004194230.tif 000006
【図５】
2004194230.tif 000007
【図６】
2004194230.tif 000008